(57)【要約】【課題】振動感応型非常灯に適用可能なスイッチ装置を提供する。【解決手段】振動感応型スイッチ装置は、導電性落下体１８；落下体を自由落下自在な状態で含む筒状ハウジング１２；上端部に落下体を載置可能で所定振動で自由落下させる載置頂部１６ａを有する載置用タワー部１６；筒状ハウジングの底面部に設けられ、上面方向から底面方向に向かって相互間距離が徐々に狭くなり、リング状絶縁体部によって隔てられ、落下体が両者間に介在すると通電状態になり、両者間に介在しないと不通電状態になる一対のリング状端子部２２，２４；リング状端子部と接続する電源部；通電状態で作動する作用部３６；筒状ハウジング上端部に設けられ、筒状ハウジングの反転状態で、落下体を保持可能な中央凹部３２を有する天井部；及び中央凹部に保持された落下体を載置用タワー部の載置頂部に載置可能なリセット手段を含む。【選択図】図１
2006147260.tif 000002
【特許請求の範囲】
【請求項１】
（１）導電性落下体、
（２）前記導電性落下体を閉鎖空間内部に自由落下自在な状態で含む筒状ハウジング、
（３）前記筒状ハウジングの内部で、底面中央部に固定して設けられ、その底面中央部から上面部への軸方向に延び、上端部に前記落下体を静止状態で載置することができると共に、所定の程度を越える振動を前記筒状ハウジングに与えると自由落下させることのできる載置頂部を有する載置用タワー部、
（４）前記筒状ハウジングの底面部に設けられ、上面方向から底面方向に向かって相互間距離が徐々に狭くなり、相互間に設けたリング状絶縁体部によって隔てられており、前記導電性落下体が両者間に介在すると通電状態になり、前記落下体が両者間に介在しないと不通電状態になる一対のリング状端子部、
（５）前記リング状端子部と接続する電源部、
（６）通電状態において、前記電源部からの電気エネルギーによって作動する作用部、
（７）前記筒状ハウジング内部の上端部に設けられ、前記筒状ハウジングを上下反対に反転させた状態で、前記導電性落下体を保持可能な中央凹部を有する天井部、及び
（８）前記天井部の中央凹部に保持された前記導電性落下体を前記載置用タワー部の載置頂部に載置させることのできるリセット手段
を含むことを特徴とする、振動感応型スイッチ装置。
【請求項２】
前記作用部が、光発生部、電波発信部若しくは出力部、又は音発生部である、請求項１に記載の振動感応型スイッチ装置。
【請求項３】
前記導電性落下体が金属製球状体である、請求項１又は２に記載の振動感応型スイッチ装置。
【請求項４】
前記筒状ハウジングが、その底面で支持台部に担持されている、請求項１〜３のいずれか一項に記載の振動感応型スイッチ装置。
【請求項５】
前記リセット手段が、
（１）筒状の載置用タワー部の内部にスライド可能に設けられ、先端部が載置用筒状タワー部の開口した載置頂部の外側上方へ突出して前記天井部の中央凹部に到達し、前記中央凹部に位置する導電性落下体を押圧保持することができると共に、開口した載置頂部の内側下方に収納されることができる往復棒部、
（２）前記往復棒部を、載置用タワー部の載置頂部の外側上方へ突出させる方向に付勢する付勢手段、
（３）前記往復棒部を、載置用タワー部の載置頂部の内側下方に収納する方向に引く牽引手段、及び
（４）前記往復棒部の先端部が載置用タワー部の載置頂部の内側下方に収納された状態で、前記牽引手段を保持することのできる、ストッパー手段
を含む、請求項１〜４のいずれか一項に記載の振動感応型スイッチ装置。
【発明の詳細な説明】
【技術分野】
【０００１】
本発明は、振動感応型スイッチ装置に関する。本発明の振動感応型スイッチ装置は、所定の程度を越える振動（例えば、震度５弱以上の地震による振動）が与えられた場合に自動的に点灯する非常灯、あるいは非常ブザーなどのスイッチ装置として利用することができる。
【背景技術】
【０００２】
一般家庭で停電の際に使用する非常灯としては、壁や柱などに取り付けたカセットに保持された懐中電灯が一般的である。この懐中電灯型非常灯は、カセットに保持された状態では非通電（オフ）状態であるが、そのカセットから取り出すと通電（オン）状態になって点灯する。
しかしながら、前記のような懐中電灯型非常灯では、停電の際に、カセットの場所まで行って懐中電灯をカセットから取り出して点灯させることが必要になるという欠点がある。例えば、家屋が全倒壊ないし半倒壊するような強震が夜中に発生して、停電になった場合には、前記のような懐中電灯型非常灯を取り付けたカセットの場所に到達することは不可能ないし極めて困難になる可能性が高く、暗闇の中で状況把握が困難になる事態も予想される。また、家屋の倒壊を免れても、屋内の家具類が倒れてしまい、ガラスや陶磁器の破片が室内に散乱したような場合には、暗闇の中でカセットの場所に向かう際に、予想外の大怪我をすることも考えられる。
【発明の開示】
【発明が解決しようとする課題】
【０００３】
本発明者は、前記のような強震が夜中に発生した場合に、自動的に点灯する非常灯の開発を目指して鋭意研究したところ、一般家庭でも常備可能な小型で、安価に製造することのできる振動感応型スイッチ装置の開発に成功し、この振動感応型スイッチ装置を利用して、強度の振動を受けた場合に自動的に点灯し、一般家庭でも常備可能な小型で、安価な非常灯を製造することができることを見出した。また、このスイッチ装置を利用して、振動感応型の検知情報送信装置や警告ブザーの音発生装置を製造することができることも見出した。
本発明は、こうした知見に基づくものである。
【課題を解決するための手段】
【０００４】
本発明は、
（１）導電性落下体、
（２）前記導電性落下体を閉鎖空間内部に自由落下自在な状態で含む筒状ハウジング、
（３）前記筒状ハウジングの内部で、底面中央部に固定して設けられ、その底面中央部から上面部への軸方向に延び、上端部に前記落下体を静止状態で載置することができると共に、所定の程度を越える振動を前記筒状ハウジングに与えると自由落下させることのできる載置頂部を有する載置用タワー部、
（４）前記筒状ハウジングの底面部に設けられ、上面方向から底面方向に向かって相互間距離が徐々に狭くなり、相互間に設けたリング状絶縁体部によって隔てられており、前記導電性落下体が両者間に介在すると通電状態になり、前記落下体が両者間に介在しないと不通電状態になる一対のリング状端子部、
（５）前記リング状端子部と接続する電源部、
（６）通電状態において、前記電源部からの電気エネルギーによって作動する作用部、
（７）前記筒状ハウジング内部の上端部に設けられ、前記筒状ハウジングを上下反対に反転させた状態で、前記導電性落下体を保持可能な中央凹部を有する天井部、及び
（８）前記天井部の中央凹部に保持された前記導電性落下体を前記載置用タワー部の載置頂部に載置させることのできるリセット手段
を含むことを特徴とする、振動感応型スイッチ装置に関する。
【０００５】
本発明の好ましい態様においては、前記作用部が、光発生部（例えば、電球）、電波発信部若しくは出力部、又は音発生部（例えば、ブザー）である。
本発明の別の好ましい態様においては、前記導電性落下体が金属製球状体（例えば、鋼球）である。
本発明の更に別の好ましい態様においては、前記筒状ハウジングが、その底面で支持台部に担持されている。
【０００６】
本発明の更に別の好ましい態様においては、前記リセット手段が、
（１）筒状の載置用タワー部の内部にスライド可能に設けられ、先端部が載置用筒状タワー部の開口した載置頂部の外側上方へ突出して前記天井部の中央凹部に到達し、前記中央凹部に位置する導電性落下体を押圧保持することができると共に、開口した載置頂部の内側下方に収納されることができる往復棒部、
（２）前記往復棒部を、載置用タワー部の載置頂部の外側上方へ突出させる方向に付勢する付勢手段、
（３）前記往復棒部を、載置用タワー部の載置頂部の内側下方に収納する方向に引く牽引手段、及び
（４）前記往復棒部の先端部が載置用タワー部の載置頂部の内側下方に収納された状態で、前記牽引手段を保持することのできる、ストッパー手段
を含む。
【発明の効果】
【０００７】
本発明の振動感応型スイッチ装置を非常灯に利用すれば、所定の震度（例えば、震度５弱）以上の地震の際に、前記導電性落下体が載置用タワー部の載置頂部から振動によって自動的に落下して通電（オン）状態になり、電灯が点灯するので、夜中に地震が発生して停電した場合でも、家の中の状態を把握することができる。
また、本発明の振動感応型スイッチ装置を検知情報送信装置に利用すれば、正常な水平状態が崩れると異常状態となる測定装置や監視装置などに取り付けて、正常状態から異常状態への転換を検知し、その検知情報を遠隔の監視センターに無線又は有線で送信することができる。
更に、本発明の振動感応型スイッチ装置を音発生装置に利用すれば、利用者が振動を与えるだけで前記導電性落下体が載置用タワー部の載置頂部から振動によって自動的に落下して通電（オン）状態になり、ブザーなどによって音を発生することができるので、例えば、病人用の連絡装置として使用することができる。
【発明を実施するための最良の形態】
【０００８】
本発明によるスイッチ装置を非常灯に利用する場合の代表的態様を図面に沿って説明する。
図１は、セット状態にある非常灯１０の斜視図である。非常灯１０は、筒状ハウジング１２を、その底面を支持台部１４の上面に固定して有している。なお、本明細書において、「上」若しくは「上方」、「下」若しくは「下方」、あるいは「底面」又は「上面」は、図１に示すセット状態における上下関係を意味している。従って、後述するとおり、前記の非常灯１０は、上下を逆転させることがあり、その場合には、例えば、セット状態を基準としている「底面」と「上面」との位置関係が逆転するが、それら部分の名称は変えないものとする。
【０００９】
筒状ハウジング１２の内部には、その底面中央部から上面部へ、筒状ハウジング１２の軸方向に延びる載置用タワー部１６が設けられている。載置用タワー部１６の底部は、筒状ハウジング１２の底面に固定されているが、上端部は自由端部であり、導電性落下体１８を静止状態で載置することができる載置頂部１６ａを有している。なお、後述するとおり、図１に示すセット状態において載置頂部１６ａに載置された導電性落下体１８は、非常灯１０に所定程度を越える振動が与えられると、載置頂部１６ａから重力によって自然に落下する。
【００１０】
図２は、図１の一部（支持台部１４）を省略し、更に筒状ハウジング１２の一部を切り欠いて示す模式的側断面図である。図１及び図２に示すとおり、載置用タワー部１６の底部及び筒状ハウジング１２の底部には、一対のリング状端子部２２，２４が設けられている。一方のリング状端子部２２は、載置用タワー部１６の底部の周囲を被覆する円筒状層状体として設けられており、もう一方のリング状端子部２４は、筒状ハウジング１２の底面方向に向かって外側から内側へ徐々に傾斜するスリバチ状壁面を有するスリバチ型底面の傾斜壁面を被覆する層状体として設けられている。また、これらの一対のリング状端子部２２，２４の間にはリング状絶縁体部２６を設けて、両者は相互に電気的に隔てられている。更に、これらの一対のリング状端子部２２，２４の間隙の距離は、筒状ハウジング１２の底面方向に向かって外側から内側へ徐々に狭くなり、その間隙に前記導電性落下体１８が落下して停止すると、一対のリング状端子部２２，２４はその導電性落下体１８を介して通電状態になり、前記導電性落下体１８が両者間に介在しないと不通電状態になる。すなわち、前記導電性落下体１８の寸法（球体の場合の直径）は、一対のリング状端子部２２，２４の間隙の最長距離よりも小さいので、一対のリング状端子部２２，２４の間に落下し、しかも、一対のリング状端子部２２，２４の間隙の最短距離よりも大きいので、リング状絶縁体部２６まで落下することはない。
【００１１】
支持台部１４の内部には、電源部（例えば、電池）が設けられており、導電性落下体１８を介してリング状端子部２２，２４が通電状態になると、電源部が導線４６，６４を介して電灯３６と接続するので、電灯３６が点灯する。電灯３６は、筒状ハウジング１２の上蓋部３８に内側に設けられ、透明材料の筒状ハウジング１２に包囲されているので、四周を照らすことができる。
【００１２】
次に、図２〜図７に沿ってセット状態やリセット方法を説明する。
図２は、導電性落下体１８が、載置用タワー部１６の載置頂部１６ａに載置された状態、すなわち、セット状態を示す。この状態では、一対のリング状端子部２２，２４は不通電状態であり、電灯３６は点灯していない。
図２に示すセット状態において、所定の震度（例えば、震度５）以上の震度の地震が発生すると、載置用タワー部１６の載置頂部１６ａに載置されていた導電性落下体１８が落下し、図３に示すように、一対のリング状端子部２２，２４の間隙に挟まって停止する。
【００１３】
導電性落下体は、導電性材料層を少なくとも表面に有しており、好ましくは全体が導電性材料（例えば、金属又は導電性樹脂）からなる。形状は、球形が好ましいが、載置用タワー部１６の載置頂部１６ａに載置させることができ、一対のリング状端子部２２，２４の間隙に挟まって停止し、両者を通電させることのできる形状であれば限定されない。導電性落下体は、例えば、鋼球である。
【００１４】
図３に示すように、導電性落下体１８が一対のリング状端子部２２，２４の間隙に挟まって停止して通電状態になると、支持台部１４の内部に設けた電源部（例えば、電池）と電灯３６とが導線４６，６４を介して接続するので、電灯３６が点灯して、点灯状態になる。
【００１５】
次に、前記の点灯状態からセット状態に戻すリセット方法の一態様を図４〜図７に沿って説明する。
代表的なリセット方法は、最初に、点灯状態の非常灯１０の上下の位置関係を逆転させることによって開始する。非常灯１０の上下を逆転させると、図４に示すとおり、導電性落下体１８が一対のリング状端子部２２，２４の間隙から外れて、筒状ハウジング１２の底面から上面方向へ重力によって自然落下する。この自然落下によって、一対のリング状端子部２２，２４は非通電状態になり、電灯３６は、非点灯状態になる。筒状ハウジング１２の底面から上面方向へ重力によって落下した導電性落下体１８は、筒状ハウジング１２の天井部の中央凹部３２で停止する。なお、筒状ハウジング１２は、導電性落下体１８をその内部で自由落下自在な状態で含む閉鎖空間である。
【００１６】
導電性落下体１８を筒状ハウジング１２の天井部の中央凹部３２で停止させた後、図５に示すとおり、筒状載置用タワー部１６の内部から往復棒部４２を、後述する図９及び図１０に沿って説明するようにスライドさせて、外側上方（セット状態基準）の天井部の方向へ突出させ、往復棒部４２の先端部に設けた開閉可能保持端部４４によって、前記中央凹部３２に位置する導電性落下体１８を押圧保持する。
【００１７】
前記の開閉可能保持端部４４は、複数本（例えば、４〜１０本程度）の短冊状薄片からなり、それらが筒状載置用タワー部１６の内部に収納されている状態では、筒状載置用タワー部１６の壁面に規制されて閉鎖状態になるが、外側に拡がる方向に付勢されているので、筒状載置用タワー部１６の外側に突出されると、図５に示すように、それぞれの先端部が拡がり、導電性落下体１８を、安定に押圧保持することができる。
【００１８】
導電性落下体１８を安定に押圧保持した状態で、図６に示すように、非常灯１０の上下の位置関係を再び逆転させ、元の位置関係に戻す。図８は、この状態の斜視図である。次に、往復棒部４２を降下させ、開閉可能保持端部４４を筒状載置用タワー部１６の内側に収納すると、図７に示すように、導電性落下体１８は、開閉可能保持端部４４と共に降下し、筒状載置用タワー部１６の載置頂部１６ａの上に載置され、図１及び図２に示すセット状態に復帰する。
【００１９】
前記の往復棒部４２を筒状載置用タワー部１６の内部でスライドさせる機構を、主に図９及び図１０に沿って説明する。図９は、セット状態の模式的断面図であり、図１０は、図６及び図８に示す押圧保持状態の模式的断面図である。
図９（並びに図１及び図２）に示すように、セット状態は、導電性落下体１８が載置用タワー部１６の載置頂部１６ａに載置された状態である。また、図１０（並びに図６及び図８）に示すように、押圧保持状態は、導電性落下体１８が開閉可能保持端部４４によって筒状ハウジング１２の天井部の中央凹部３２に押圧されて保持されている状態である。
【００２０】
前記の往復棒部４２の内部には、この前記の往復棒部４２を載置用タワー部１６の載置頂部１６ａの外側上方へ突出させる方向に付勢する付勢手段としてのバネ部５６が設けられている。このバネ部５６の一方の端部は往復棒部４２の内側上端部６６と接触し、もう一方の端部は筒状載置用タワー部１６の内側底面６８と接触している。また、往復棒部４２の内側上端部６６には、牽引ヒモ部５４の一方の端部が固定されており、その牽引ヒモ部５４のもう一方の端部には牽引リング部４８を備えている。支持台部１４の内部には滑車固定部６２によって固定された滑車部６０が設けられており、牽引ヒモ部５４の移動方向を転換させることができる。また、牽引ヒモ部５４は、滑車部６０に接触する部分と、牽引リング４８との中間に係止球部５８を有している。図１及び図８に示すように、支持台部１４の側面には、連続する２つの開口部５０，５２が設けてあり、開口半径が大きい通過穴部５０は係止球部５８を通過させることができ、開口半径が小さい係止穴部５２は係止球部５８を通過させずに、係止球部５８を係止することができる。
【００２１】
図１０（並びに図６及び図８）に示す押圧保持状態においては、往復棒部４２がバネ部５６によって載置用タワー部１６の載置頂部１６ａの外側上方へ突出させる方向に付勢されているので、牽引リング部４８を矢印Ａ（図１０参照）の方向に牽引すると、往復棒部４２を矢印Ｂ（図１０参照）の方向に降下させることができ、導電性落下体１８は、開放状態の保持端部４４によって保持された状態で往復棒部４２と共に降下する。牽引リング部４８の牽引を続けると、開閉可能保持端部４４が載置用タワー部１６の載置頂部１６ａに到達し、更に矢印Ａの方向に牽引すると、開閉可能保持端部４４は、載置用タワー部１６の内側壁面の形状に規制されて徐々に閉鎖されながら、載置用タワー部１６の内側に収納される。しかしながら、導電性落下体１８の直径は、載置頂部１６ａの外径よりも大きいので、導電性落下体１８は、載置頂部１６ａの上に留まる。
【００２２】
牽引リング部４８を更に矢印Ａの方向に牽引して、係止球部５８を通過穴部５０の外側まで引き出してから、牽引ヒモ部５４を係止球部５８の方向へずらし、牽引リング部４８の牽引を停止すると、牽引ヒモ部５４には、バネ部５６の付勢力が作用して、矢印Ａの方向とは反対方向に引っ張られ、係止球部５８が係止穴部５２に到達して停止する。こうして、セット状態へのリセット操作が完了する。
以上のように、牽引ヒモ部５４と牽引リング部４８とによって牽引手段が構成され、係止穴部５２と係止球部５８とによってストッパー手段が構成される。
【００２３】
本発明の振動感応型スイッチ装置は、前記のように非常灯に利用することができるだけでなく、任意の装置に利用することができる。
例えば、前記の作用部として、電球に代えて電波発信部若しくは出力部（例えば、ディスプレやプリンタ、あるいは記憶装置）などを用いることにより、正常な水平状態が崩れると異常状態となる測定装置や監視装置などに取り付けて、正常状態から異常状態への転換を検知し、その検知情報を遠隔の監視センターに無線又は有線で送信することができる検知情報送信装置として利用することができる。
また、前記の作用部として、電球に代えて音発生部を用いることにより、病人などの利用者が振動を与えるだけで前記導電性落下体を載置用タワー部の載置頂部から振動によって自動的に落下させて通電（オン）状態とし、ブザーなどによって音を発生させることができるので、例えば、病人用の連絡装置として使用することができる。
【００２４】
本発明の振動感応型スイッチ装置は、用途により、支持台部を含まない形態で用いることもできる。
筒状ハウジングの形状は、特に限定されず、角筒状や円筒状であることができ、図１に示すように、円筒状であることが好ましい。筒状ハウジングは、透明材料又は非透明材料から製造することができるが、非透明材料から製造する場合には、導電性落下体がセット状態や、押圧保持状態にあることを確認する窓を有することが好ましい。なお、非常灯として用いる場合は、電灯の光を透過する材料から構成することが必要である。
【００２５】
載置用タワー部の底部及び筒状ハウジングの底部に設ける一対のリング状端子部の態様は、図１〜図８に示す態様、すなわち、載置用タワー部１６の底部の周囲を被覆する円筒状層状体と、筒状ハウジング１２の底面方向に向かって外側から内側へ徐々に傾斜するスリバチ状壁面を有するスリバチ型底面の傾斜壁面を被覆する層状体との組合せに限定されない。例えば、載置用タワー部の底部の周囲に円錐台型の底面を形成し、その円錐台型底面の側面に一方のリング状端子部を設け、筒状ハウジング１２の底部側面の内側に、もう一方のリング状端子部を円筒状に設けることができる。
更に、載置用タワー部側の底部に設ける一方のリング状端子部と、筒状ハウジングの底部に設けるもう一方のリング状端子部とを、いずれも上面方向から底面方向に向かって徐々に傾斜させ、両者の間隙を徐々に狭くさせる断面Ｖ字溝型にすることもできる。
【００２６】
振動感応型スイッチ装置においては、導電性落下体を自然落下させる所定の振動の程度を適宜調整することができる。調整方法としては、導電性落下体の直径と、載置用タワー部の載置頂部の直径や形状との組合せを種々に調整する方法、筒状ハウジングの材料を選択して揺れの程度を調整する方法、支持台部の寸法や底面構造を調整する方法、などを挙げることができる。地震に備える非常灯として利用する場合には、例えば、屋内の家具類が倒れる程度の震度を所定の震度とすることが好ましい。
【００２７】
前記天井部の中央凹部に保持された前記導電性落下体を前記載置用タワー部の載置頂部に載置させることのできるリセット手段は、図１〜図１０に示す手段に限定されるものではない。例えば、図１に示すような非常灯において、筒状ハウジング１２を、筒状ハウジング１２の上蓋部３８から天井部の中央凹部３２を含む上方部分と、筒状ハウジング１２のその他の下方部分とに２分割し、更に前記上方部分と下方部分とを相互にスライド可能な構造として、リセット手段とすることもできる。この態様では、セット状態では、導電性落下体と天井部の中央凹部とを非接触状態となるように相互に離間させ、点灯状態からセット状態へのリセット操作において、最初に筒状ハウジングの上下方向を逆転させて導電性落下体を一対のリング状端子部から天井部の中央凹部に落下させ、続いて、筒状ハウジングの下方部分を上方部分の方向に向かってスライドさせ、載置用タワー部の載置頂部と導電性落下体と接触させて導電性落下体を押圧して保持し、更にこの押圧保持状態で筒状ハウジングの上下方向を再び逆転させて、導電性落下体を載置用タワー部の載置頂部に載置させ、更に、筒状ハウジングの上方部分を上方にスライドさせて導電性落下体と天井部の中央凹部とを非接触状態とし、リセット操作を完了させることができる。
【産業上の利用可能性】
【００２８】
本発明の振動感応型スイッチ装置は、例えば、振動感応型の非常灯、振動感応型の検知情報送信装置、あるいは振動感応型の音発生装置に利用することができる。
【図面の簡単な説明】
【００２９】
【図１】セット状態にある非常灯の斜視図である。
【図２】図１の非常灯の支持台部の一部を省略し、更に筒状ハウジングの一部を切り欠いて示すセット状態の模式的側断面図である。
【図３】図１の非常灯の通電状態の模式的側断面図である。
【図４】図１の非常灯の上下位置関係を逆転した状態の模式的側断面図である。
【図５】図１の非常灯の押圧保持の模式的側断面図である。
【図６】図１の非常灯の再逆転した押圧保持状態の模式的側断面図である。
【図７】図１の非常灯のリセット後のセット状態の模式的側断面図である。
【図８】図１の非常灯の再逆転した押圧保持状態の斜視図である。
【図９】図１の非常灯のセット状態の模式的部分断面図である。
【図１０】図１の非常灯の押圧保持状態の模式的部分断面図である。
【符号の説明】
【００３０】
１０・・・非常灯；１２・・・筒状ハウジング；１４・・・支持台部；
１６・・・載置用タワー部；１６ａ・・・載置頂部；１８・・・導電性落下体；
２２，２４・・・リング状端子部；２６・・・リング状絶縁体部；
３２・・・中央凹部；３６・・・電灯；３８・・・上蓋部；４２・・・往復棒部；
４４・・・開閉可能保持端部；４６，６４・・・導線；４８・・・牽引リング部；
５０・・・通過穴部；５４・・・牽引ヒモ部；５６・・・バネ部；
５８・・・係止球部；６０・・・滑車部；６２・・・滑車固定部；
６６・・・往復棒部の内側上端部；６８・・・筒状載置用タワー部の内側底面。
【図１】
2006147260.tif 000003
【図２】
2006147260.tif 000004
【図３】
2006147260.tif 000005
【図４】
2006147260.tif 000006
【図５】
2006147260.tif 000007
【図６】
2006147260.tif 000008
【図７】
2006147260.tif 000009
【図８】
2006147260.tif 000010
【図９】
2006147260.tif 000011
【図１０】
2006147260.tif 000012